(57)【要約】  本発明は、首開口部（３）を有する衣服に関する。該衣服は、前面にファスナ（５）を有しており、該ファスナの一方の端部は前記首開口部（３）に到達している。首開口部（３）の、ファスナ（５）の前記端部（５５）の領域に、噛みエッジとして働く補強部（６）が設けられている。
2013510957.tif 000002
【特許請求の範囲】
【請求項１】
衣服であって、首開口部を有しており、衣服の前面にファスナが設けられており、該ファスナの一方の端部は前記首開口部に到達している形式のものにおいて、
首開口部（３）の、ファスナ（５）の前記端部（５５）の領域に、噛みエッジとして働く補強部（６）が設けられていることを特徴とする衣服。
【請求項２】
前記補強部（６）がほぼＵ字形の横断面を有している、請求項１記載の衣服。
【請求項３】
前記補強部（６）がプラスチックから成っている、請求項１又は２記載の衣服。
【請求項４】
前記補強部（６）がゴムから成っている、請求項１又は２記載の衣服。
【請求項５】
前記補強部（６）がファスナ（５）に少なくとも部分的に被さっている、請求項１から４までのいずれか１項記載の衣服。
【発明の詳細な説明】
【技術分野】
【０００１】
本発明は、衣服であって、首開口部を有しており、衣服の前面にファスナが設けられており、該ファスナの一方の端部は前記首開口部に到達している形式のものに関する。
【０００２】
冒頭で述べた形式の衣服は広く公知である。このような衣服は、ジャケット、セーター等として形成することができる。衣服に設けられたファスナは、着脱を容易にするため、又は気温上昇時に通気性を良くするために、衣服を開くのを容易に可能にする。さらにファスナは、例えばボタンのようなその他の衣服の閉鎖手段に対して、衣服を完全に閉鎖し、水分や隙間風を衣服内に進入させないという利点を有している。
【０００３】
特に、極めて弾性的な材料から製造された衣服では、ファスナを片手のみで開放するのは困難である。これは衣服の弾性が高いことによりファスナを引き下げる際に衣服が撓ってしまうからである。これにより衣服にしわが生じ、その結果、ファスナの形状が波打つ。するとファスナを開くことはできなくなる。従って、ファスナの開放を可能にする程度に十分な衣服の安定性をもたらすために、もう一方の手で首開口部の領域で衣服を押さえておく必要がある。このことは、衣服の着用者に障害がある場合、又は、片方の手が別の操作のために必要であるといった状態では不都合である。このような別の操作とは例えば、片方の手をハンドルに置いておかなければならない自転車又は自動車の運転である。
【０００４】
本発明の課題は、ファスナの開放を片手で行うことができるような衣服を提供することである。この課題は、本発明によれば、首開口部の、ファスナの前記端部の領域に、噛みエッジとして働く補強部が設けられていることにより解決される。
【０００５】
本発明によれば、片手のみでファスナの開放を可能にする衣服が提供される。このために衣服の着用者は、噛みエッジとして働く補強部を口に入れるだけで良く、これにより衣服に十分な安定性が与えられ、弾性の高い衣服であってもファスナの操作が可能である。
【０００６】
本発明の別の構成では、補強部がほぼＵ字形の横断面を有している。このような構成により、補強部は首開口部に所定の領域で被さることができ、これにより首開口部の領域において、衣服の内面上にも外面上にも、噛みエッジとして働く補強部が設けられる。
【０００７】
有利には補強部はプラスチックまたは天然ゴムから成っている。プラスチックまたは天然ゴムを使用することにより、一方では良好な加工性が得られ、これにより補強部を衣服に簡単に適合させることができる。また他方では、口にしたとしても安全で健康に無害な材料を使用することができる。
【０００８】
有利には補強部はファスナに少なくとも部分的に被さっている。これにより補強部をファスナのカバーとして利用することができ、ファスナが首に引っ掛かるのを防止することができる。これにより衣服の着用快適性はさらに高められる。
【０００９】
本発明の別の構成は従属請求項に記載されている。以下に、本発明の実施例を図面につき詳しく説明する。
【図面の簡単な説明】
【００１０】
【図１】ファスナと補強部とを備えた衣服を部分的に示した図である。
【図２】衣服の首開口部の領域を側方から示した図である。
【図３】ファスナの操作時の人物を衣服と共に示した図である。
【００１１】
実施例として示した衣服は、前面１と背面（図示せず）とから成っている。この衣服は袖部２を有している。この衣服は首開口部３を有しており、この首開口部３はこの実施例では立ち襟４によって形成されている。この衣服は前面１にファスナ５を有している。
【００１２】
ファスナ５は公知の形式で衣服に縫い付けられていて、これは縫い目５１によって明示されている。ファスナ５は公知の形式で複数の務歯５２を有しており、これらの務歯５２はスライダ５３によって互いに噛み合わせられる。スライダ５３には把持部５４が設けられている。ファスナ５の一方の端部は首開口部３に到っている。この実施例では、ファスナ５の図示されている端部５５が立ち襟４の上方領域に位置している。
【００１３】
首開口部３には、ファスナ５の端部５５の領域に、噛みエッジとして働く補強部６が配置されている。この実施例では補強部６は、首開口部３を形成する立ち襟４の自由端部に設けられている。補強部６はこの実施例では立ち襟４に縫い付けられていて、このことは縫い目６１によって明示されている。補強部６は有利にはプラスチックまたはゴムから製造されている。補強部６のための材料を選択する際、１つには良好な加工可能性が重要である。良好な加工可能性により補強部を簡単に、首開口部３の領域で衣服の形状に適合させることができる。さらにまた重要であるのは、選択した材料が身体に有害な特性を有さないことである。さらに材料は、運動性を制限しないために、比較的高い可動性を有しているのが望ましい。これらの特性は特に、適当なプラスチック及びゴムにより満たされる。
【００１４】
補強部６はほぼＵ字形の横断面を有していて、首開口部３若しくは立ち襟４に被さっている。従って、補強部６の脚部６２は衣服の外面上に位置していて、補強部６の脚部６３は衣服の内面上に位置している。脚部６２と脚部６３とを結合している中央部６４は、特に図２に示したように、首開口部３若しくは立ち襟４の自由端部の上方に位置している。
【００１５】
特に図３に示したように、補強部６はファスナ５を部分的に覆っている。従って補強部６は水平方向でファスナ５を越えて突出している。ファスナ５の閉鎖状態では、補強部６は端部５５に完全に被さっている。ファスナ５が完全に閉鎖されていない状態では、図３に示されているように、補強部６は部分的に、ファスナ５の一方の側を水平方向で越えて突出している。
【００１６】
噛みエッジとして働く補強部６は、特に片方の手が、障害があるといったことや、例えば自転車走行時のハンドルの保持のような別の動作を行っているといった何らかの事情により、ファスナの操作のためには使えない場合、ファスナ５の操作を著しく容易にする。ファスナの操作のためには、衣服の着用者が補強部６を噛むだけで良い。これにより補強部６は、衣服の着用者の歯の間に噛まれて保持される。従って図３に示したように、ファスナ５の操作を片手で行えるように首開口部３を固定することができる。従って例えば、サイクリングウェアのトリコットの場合のように、弾性の高い衣服にファスナが設けられていても、ファスナの片手操作が可能である。しかしながら自転車走行の際は、多くの場合、両手ともがハンドルに取られてしまうわけではないので、本発明により、不都合な条件下でもファスナの操作は大きく改善される。
【符号の説明】
【００１７】
１  前面、  ２  袖部、  ３  首開口部、  ４  立ち襟、  ５  ファスナ、  ６  補強部、  ５１  縫い目、  ５２  務歯、  ５３  スライダ、  ５４  把持部、  ５５  端部、  ６１  縫い目、  ６２，６３  脚部、  ６４  中央部
【図１】
2013510957.tif 000003
【図２】
2013510957.tif 000004
【図３】
2013510957.tif 000005
【国際調査報告】
2013510957.tif 000006
2013510957.tif 000007
2013510957.tif 000008
2013510957.tif 000009